【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  静電潜像を形成するための感光体と、
該感光体上の静電潜像を黒以外の３色で現像する、３つのカラー現像器を内包するロータリ現像器と、
該ロータリ現像器とは独立して設けられ、前記感光体上の静電潜像を黒色で現像する黒現像器と、
前記ロータリ現像器および／または前記黒現像器によって現像されたトナー像を一次転写するための中間転写ベルトと、
該中間転写ベルトの全長を二等分割して形成された前半部と後半部で、それぞれホームポジションの位置を示すホームポジション同期信号を１つずつ発生するホームポジション同期信号発生手段と、
該各ホームポジション同期信号の各発生タイミングから第１の所定時間後に、画像同期信号を発生する第１の画像同期信号発生手段と、
前記各ホームポジション同期信号の各発生タイミングから、前記第１の所定時間とは異なる第２の所定時間後に、画像同期信号を発生する第２の画像同期信号発生手段と、
前記各ホームポジション同期信号の各発生タイミングとは無関係に、任意のタイミングから第３の所定時間後に、画像同期信号を発生する第３の画像同期信号発生手段と、
前記中間転写ベルトの前記前半部と前記後半部にそれぞれ１枚ずつカラーのトナー像を一次転写するカラー２枚張り作像モードと、前記中間転写ベルトにモノクロのトナー像を一次転写する黒単色作像モードのいずれかを選択するモード選択手段と、
前記カラー２枚張り作像モードが選択され、カラー２張り作像が開始されたときに、前記ホームポジション同期信号発生手段によって発生された２つのホームポジション同期信号のうち、先に発生された信号をＡ面用ホームポジション同期信号として選択する一方、後に発生された信号をＢ面用ホームポジション同期信号として選択するホームポジション同期信号選択手段と、
前記黒単色作像モードが選択されたときには、前記第３の画像同期信号発生手段によって画像同期信号を発生させる一方、前記カラー２枚張り作像モードが選択されたときには、前記Ａ面用ホームポジション同期信号に対して、前記第１の画像同期信号発生手段によって画像同期信号を発生させ、前記Ｂ面用ホームポジション同期信号に対して、前記第２の画像同期信号発生手段によって画像同期信号を発生させるように制御する制御手段と
を有し、
前記制御手段は、前記カラー２枚張り作像モードが選択され、前記中間転写ベルトの前記前半部または前記後半部に作像が開始された後で、次の画像がカラー画像かまたは黒単色画像かを判明したタイミングに応じて、前記第１の画像同期信号発生手段と、前記第２の画像同期信号発生手段と、前記第３の画像同期信号発生手段とを制御して、画像形成を行うことを特徴とするカラー画像形成装置。
【請求項２】  前記制御手段は、前記カラー２枚張り作像モードが選択され、Ａ面の作像が開始された後、次の画像がカラー画像と判明したのが、Ｂ面の第１色の作像開始タイミングより前の場合には、カラー２枚張りのＢ面としてカラー画像を作像する一方、Ｂ面の第１色の作像開始タイミングより後の場合には、カラー２枚張りのＢ面部分を空回しして前記Ｂ面用画像同期信号を発生させないようにし、次のカラー２枚張りのＡ面として、次のカラー画像を作像することを特徴とする請求項１に記載のカラー画像形成装置。
【請求項３】  前記制御手段は、前記カラー２枚張り作像モードが選択され、Ａ面の作像が開始された後、次の画像が黒単色画像と判明したのが、Ｂ面の第４色の作像開始タイミングより前の場合には、カラー２枚張りのＢ面としてモノクロ画像を作像するために、Ａ面は４色とも画像同期信号を発生させる一方、Ｂ面はカラー第１〜第３色を空回しし、第４色のみ前記Ｂ面用画像同期信号を発生させることを特徴とする請求項１に記載のカラー画像形成装置。
【請求項４】  前記制御手段は、前記カラー２枚張り作像モードが選択され、Ａ面の作像が開始された後、次の画像が黒単色画像と判明したのが、Ｂ面の第４色の作像開始タイミングより後の場合には、黒単色画像の作像開始タイミングより後に、前記第３の画像同期信号発生手段によって画像同期信号を発生させ、前記黒単色作像モードに移行させることを特徴とする請求項１に記載のカラー画像形成装置。
【請求項５】  前記制御手段は、前記カラー２枚張り作像モードが選択され、Ｂ面の作像が開始された後、次の画像が黒単色画像と判明した場合には、Ｂ面のカラー第４色の画像作像完了後に、前記第３の画像同期信号発生手段によって画像同期信号を発生させ、前記黒単色作像モードに移行させることを特徴とする請求項１に記載のカラー画像形成装置。
【請求項６】  前記第１の所定時間は、前記第２の所定時間より長い時間に設定され、当該時間内に前記ロータリ現像器を回転させることを特徴とする請求項１に記載のカラー画像形成装置。
【手続補正２】
【補正対象書類名】明細書
【補正対象項目名】０００８
【補正方法】変更
【補正の内容】
【０００８】
【課題を解決するための手段】
上記目的を達成するため、請求項１に記載の発明は、静電潜像を形成するための感光体と、該感光体上の静電潜像を黒以外の３色で現像する、３つのカラー現像器を内包するロータリ現像器と、該ロータリ現像器とは独立して設けられ、前記感光体上の静電潜像を黒色で現像する黒現像器と、前記ロータリ現像器および／または前記黒現像器によって現像されたトナー像を一次転写するための中間転写ベルトと、該中間転写ベルトの全長を二等分割して形成された前半部と後半部で、それぞれホームポジションの位置を示すホームポジション同期信号を１つずつ発生するホームポジション同期信号発生手段と、該各ホームポジション同期信号の各発生タイミングから第１の所定時間後に、画像同期信号を発生する第１の画像同期信号発生手段と、前記各ホームポジション同期信号の各発生タイミングから、前記第１の所定時間とは異なる第２の所定時間後に、画像同期信号を発生する第２の画像同期信号発生手段と、前記各ホームポジション同期信号の各発生タイミングとは無関係に、任意のタイミングから第３の所定時間後に、画像同期信号を発生する第３の画像同期信号発生手段と、前記中間転写ベルトの前記前半部と前記後半部にそれぞれ１枚ずつカラーのトナー像を一次転写するカラー２枚張り作像モードと、前記中間転写ベルトにモノクロのトナー像を一次転写する黒単色作像モードのいずれかを選択するモード選択手段と、前記カラー２枚張り作像モードが選択され、カラー２張り作像が開始されたときに、前記ホームポジション同期信号発生手段によって発生された２つのホームポジション同期信号のうち、先に発生された信号をＡ面用ホームポジション同期信号として選択する一方、後に発生された信号をＢ面用ホームポジション同期信号として選択するホームポジション同期信号選択手段と、前記黒単色作像モードが選択されたときには、前記第３の画像同期信号発生手段によって画像同期信号を発生させる一方、前記カラー２枚張り作像モードが選択されたときには、前記Ａ面用ホームポジション同期信号に対して、前記第１の画像同期信号発生手段によって画像同期信号を発生させ、前記Ｂ面用ホームポジション同期信号に対して、前記第２の画像同期信号発生手段によって画像同期信号を発生させるように制御する制御手段とを有し、前記制御手段は、前記カラー２枚張り作像モードが選択され、前記中間転写ベルトの前記前半部または前記後半部に作像が開始された後で、次の画像がカラー画像かまたは黒単色画像かを判明したタイミングに応じて、前記第１の画像同期信号発生手段と、前記第２の画像同期信号発生手段と、前記第３の画像同期信号発生手段とを制御して、画像形成を行うことを特徴とする。
【手続補正３】
【補正対象書類名】明細書
【補正対象項目名】０１１５
【補正方法】削除
【補正の内容】
【手続補正４】
【補正対象書類名】明細書
【補正対象項目名】０１１６
【補正方法】削除
【補正の内容】
【手続補正５】
【補正対象書類名】明細書
【補正対象項目名】０１１７
【補正方法】削除
【補正の内容】
【手続補正６】
【補正対象書類名】明細書
【補正対象項目名】０１１８
【補正方法】削除
【補正の内容】
【手続補正７】
【補正対象書類名】明細書
【補正対象項目名】０１１９
【補正方法】削除
【補正の内容】
【手続補正８】
【補正対象書類名】明細書
【補正対象項目名】０１２０
【補正方法】削除
【補正の内容】
【手続補正９】
【補正対象書類名】明細書
【補正対象項目名】０１２１
【補正方法】削除
【補正の内容】
【手続補正１０】
【補正対象書類名】明細書
【補正対象項目名】０１２２
【補正方法】削除
【補正の内容】
【手続補正１１】
【補正対象書類名】明細書
【補正対象項目名】０１２３
【補正方法】削除
【補正の内容】